【手続補正書】
【提出日】平成29年6月12日(2017.6.12)
【手続補正１】
【補正対象書類名】特許請求の範囲
【補正対象項目名】全文
【補正方法】変更
【補正の内容】
【特許請求の範囲】
【請求項１】
像担持体に現像剤像を形成する画像形成装置であって、
装置本体と、
前記像担持体を備える像担持体ユニットと現像ローラを備える現像ユニットを支持した状態で、前記装置本体の内部に位置する内部位置と、前記装置本体の外部に位置する外部位置との間を移動可能な移動部材と、
前記装置本体に設けられ、前記移動部材が前記内部位置にあるとき、前記像担持体に対向し被転写体に前記現像剤像を転写する転写体と、
弾性部を含み、前記移動部材に設けられ、前記移動部材が前記内部位置にあるとき、前記像担持体を前記転写体に向けて付勢する付勢部材と、
前記移動部材に設けられ、前記弾性部を収縮させることにより前記付勢部材の付勢力を規制する規制部材と、
を有することを特徴とする画像形成装置。
【請求項２】
前記移動部材は、前記像担持体を露光する光が通過する露光開口を備えることを特徴とする請求項１に記載の画像形成装置。
【請求項３】
前記移動部材は、前記現像ローラを回転させる駆動力を与える現像カップリング部材と対向する現像カップリング開口を備えることを特徴とする請求項１又は２に記載の画像形成装置。
【請求項４】
前記移動部材が前記外部位置から前記内部位置へ移動するとき、前記規制部材による規制の状態が維持されることを特徴とする請求項１乃至３のいずれか一項に記載の画像形成装置。
【請求項５】
前記装置本体に設けられ、前記内部位置で前記規制部材による規制の状態から前記規制の解除の状態へ変化させる駆動機構を有することを特徴とする請求項１乃至４のいずれか一項に記載の画像形成装置。
【請求項６】
前記移動部材に設けられ、前記駆動機構と係合するカム部材を有することを特徴とする請求項５に記載の画像形成装置。
【請求項７】
前記装置本体に設けられ、前記移動部材が移動するための開口部を開閉するドアを有し、
前記駆動機構は前記ドアの開閉に連動し、前記ドアが閉じると前記規制の解除の状態となることを特徴とする請求項５または６に記載の画像形成装置。
【請求項８】
前記移動部材に設けられ、前記規制の状態を維持するロック部材を有することを特徴とする請求項４に記載の画像形成装置。
【請求項９】
前記規制部材と前記付勢部材とが、前記移動部材の移動方向に交差する方向の両側端部に設けられることを特徴とする請求項１乃至８のいずれか１項に記載の画像形成装置。
【請求項１０】
前記規制部材は、移動方向に細長い形状であることを特徴とする請求項１乃至９のいずれか１項に記載の画像形成装置。
【請求項１１】
前記付勢部材は、前記規制部材を挟んで前記移動部材と反対側であって前記規制部材に対向する領域と、前記規制部材に対向せず前記像担持体ユニットに対向する領域を有することを特徴とする請求項１０に記載の画像形成装置。
【請求項１２】
像担持体に現像剤像を形成する画像形成装置であって、
装置本体と、
前記像担持体を備える像担持体ユニットと前記現像ローラを備える現像ユニットを支持した状態で、前記装置本体の内部に位置する内部位置と、前記装置本体の外部に位置する外部位置との間を移動可能な移動部材と、
前記移動部材に設けられ、前記像担持体を露光する光が通過する露光開口と、
前記装置本体に設けられ、前記移動部材が前記内部位置にあるとき、前記像担持体に対向し被転写体に前記現像剤像を転写する転写体と、
弾性部を含み、前記移動部材に設けられ、前記移動部材が前記内部位置にあるとき、前記像担持体を前記転写体に向けて付勢する付勢部材と、
を有することを特徴とする画像形成装置。
【請求項１３】
像担持体に現像剤像を形成する画像形成装置であって、
装置本体と、
前記像担持体を備える像担持体ユニットと前記現像ローラを備える現像ユニットを支持した状態で、前記装置本体の内部に位置する内部位置と、前記装置本体の外部に位置する外部位置との間を移動可能な移動部材と、
前記移動部材に設けられ、前記現像ローラを回転させる駆動力を与える現像カップリング部材と対向する現像カップリング開口と、
前記装置本体に設けられ、前記移動部材が前記内部位置にあるとき、前記像担持体に対向し被転写体に前記現像剤像を転写する転写体と、
弾性部を含み、前記移動部材に設けられ、前記移動部材が前記内部位置にあるとき、前記像担持体を前記転写体に向けて付勢する付勢部材と、
を有することを特徴とする画像形成装置。
【請求項１４】
前記転写体は前記像担持体の鉛直方向で上方に設けられ、前記移動部材が前記内部位置にあるとき、前記付勢部材は前記像担持体ユニットを前記移動部材から上昇させて前記像担持体を前記転写体に向けて付勢することを特徴とする請求項１乃至１３のいずれ一項に記載の画像形成装置。 
【請求項１５】
前記移動部材が前記外部位置にあるとき、前記像担持体ユニットと前記現像ユニットは、カートリッジとして前記移動部材に対し一体的に着脱可能であることを特徴とする請求項１乃至１４のいずれか１項に記載の画像形成装置。
【請求項１６】
前記移動部材が前記外部位置にあるとき、前記像担持体ユニットと前記現像ユニットの内、前記現像ユニットのみがカートリッジとして前記移動部材に対し着脱可能であることを特徴とする請求項１乃至１４のいずれか１項に記載の画像形成装置。
【請求項１７】
前記移動部材は、色毎に異なる組として前記像担持体ユニットと前記現像ユニットを備え、前記付勢部材は、各組に対応して複数設けられることを特徴とする請求項１乃至１６のいずれか１項に記載の画像形成装置。
【請求項１８】
前記転写体が転写ローラであることを特徴とする請求項１乃至１７のいずれか１項に記載の画像形成装置。
【請求項１９】
前記被転写体が中間転写ベルトであり、前記転写体が一次転写ローラであることを特徴とする請求項１８に記載の画像形成装置。
【請求項２０】
前記被転写体が記録媒体であることを特徴とする請求項１８に記載の画像形成装置。
【手続補正２】
【補正対象書類名】明細書
【補正対象項目名】０００８
【補正方法】変更
【補正の内容】
【０００８】
上記目的を達成するため、本発明に係る画像形成装置は、像担持体に現像剤像を形成する画像形成装置であって、装置本体と、前記像担持体を備える像担持体ユニットと現像ローラを備える現像ユニットを支持した状態で、前記装置本体の内部に位置する内部位置と、前記装置本体の外部に位置する外部位置との間を移動可能な移動部材と、前記装置本体に設けられ、前記移動部材が前記内部位置にあるとき、前記像担持体に対向し被転写体に前記現像剤像を転写する転写体と、弾性部を含み、前記移動部材に設けられ、前記移動部材が前記内部位置にあるとき、前記像担持体を前記転写体に向けて付勢する付勢部材と、前記移動部材に設けられ、前記弾性部を収縮させることにより前記付勢部材の付勢力を規制する規制部材と、を有することを特徴とする。
また、本発明に係る別の画像形成装置は、像担持体に現像剤像を形成する画像形成装置であって、装置本体と、前記像担持体を備える像担持体ユニットと前記現像ローラを備える現像ユニットを支持した状態で、前記装置本体の内部に位置する内部位置と、前記装置本体の外部に位置する外部位置との間を移動可能な移動部材と、前記移動部材に設けられ、前記像担持体を露光する光が通過する露光開口と、前記装置本体に設けられ、前記移動部材が前記内部位置にあるとき、前記像担持体に対向し被転写体に前記現像剤像を転写する転写体と、弾性部を含み、前記移動部材に設けられ、前記移動部材が前記内部位置にあるとき、前記像担持体を前記転写体に向けて付勢する付勢部材と、を有することを特徴とする。
また、本発明に係る別の画像形成装置は、像担持体に現像剤像を形成する画像形成装置であって、装置本体と、前記像担持体を備える像担持体ユニットと前記現像ローラを備える現像ユニットを支持した状態で、前記装置本体の内部に位置する内部位置と、前記装置本体の外部に位置する外部位置との間を移動可能な移動部材と、前記移動部材に設けられ、前記現像ローラを回転させる駆動力を与える現像カップリング部材と対向する現像カップリング開口と、前記装置本体に設けられ、前記移動部材が前記内部位置にあるとき、前記像担持体に対向し被転写体に前記現像剤像を転写する転写体と、弾性部を含み、前記移動部材に設けられ、前記移動部材が前記内部位置にあるとき、前記像担持体を前記転写体に向けて付勢する付勢部材と、を有することを特徴とする。